【手続補正書】
【提出日】平成31年1月16日(2019.1.16)
【手続補正１】
【補正対象書類名】特許請求の範囲
【補正対象項目名】全文
【補正方法】変更
【補正の内容】
【特許請求の範囲】
【請求項１】
配送を実行するための方法であって、
消費者デバイスを介して小売業者ユーザインターフェースにアクセスする消費者と、それぞれが運送業者デバイスを有する複数の運送業者との間における仲介サーバデバイスを提供するステップであって、それぞれの運送業者は、物品が、前記物品に関するピックアップロケーションから、前記消費者に関連付けられている配送ロケーションへ輸送されることを可能にし、前記小売業者ユーザインターフェースは、小売業者によって前記仲介サーバデバイスと結合されている、ステップと、
前記消費者または消費者デバイスによってアクセスされた前記小売業者ユーザインターフェースを介して、前記消費者が、前記配送ロケーションへの１つまたは複数の物品を含む注文の配送を要求することを可能にするステップと、
前記仲介サーバデバイスにおいて、前記要求から、少なくとも前記１つまたは複数の物品の出所、前記１つまたは複数の物品の利用可能性、および配送先に基づいて、配送計画を決定するステップと、
前記仲介サーバデバイスが、前記配送計画を前記複数の運送業者に通信して、前記配送計画、それぞれの運送業者の利用可能性、およびそれぞれの運送業者のキャパシティによって決定付けられた少なくとも輸送時間に従って、複数の運送業者によって提供される複数の利用可能な配送時間枠を決定するステップと、
前記仲介サーバデバイスが、前記小売業者ユーザインターフェースが前記複数の利用可能な配送時間枠を提供することを可能にするステップと、
前記仲介サーバデバイスが、特定の利用可能な配送時間枠の選択を受信するステップと、
前記仲介サーバデバイスが、前記選択に対応する前記複数の運送業者のうちの選択された運送業者によって、前記小売業者の代わりに前記配送を開始するステップと
を含む方法。
【請求項２】
電子配送アポイントメントを生成し、前記電子配送アポイントメントを前記選択された運送業者のうちの少なくとも１つおよび前記消費者デバイスに通信するステップをさらに含む、請求項１に記載の方法。
【請求項３】
前記仲介サーバデバイスは、小売業者からの需要と運送業者ネットワーク内の予備の配送キャパシティとのマッチングを容易にする、請求項１に記載の方法。
【請求項４】
前記選択は、小売りロケーションにおいて、またはパーソナルデバイスを使用して行われる、請求項１に記載の方法。
【請求項５】
前記仲介サーバデバイスは、カスタマイズされたフロントエンドインターフェースを使用して、前記小売業者ユーザインターフェースと統合される、請求項１に記載の方法。
【請求項６】
前記輸送時間は、１つまたは複数のベンダにおいて利用可能な在庫、および前記配送ロケーションに関連付けられた地理的なゾーンに従って決定される、請求項１に記載の方法。
【請求項７】
前記配送計画に関する配送データを生成するステップをさらに含む、請求項１に記載の方法。
【請求項８】
前記配送データは標準化される、請求項７に記載の方法。
【請求項９】
前記標準化された配送データは、ＧＳ１フォーマットを使用する、請求項８に記載の方法。
【請求項１０】
前記配送データは、一意のＩＤ、インボイス番号、名前、住所、電話番号、物品の記述またはタスクの記述、および前記配送時間枠のうちの１つまたは複数を含む、請求項８に記載の方法。
【請求項１１】
前記選択された運送業者から配送ステータスデータを受信するステップをさらに含む、請求項１に記載の方法。
【請求項１２】
前記配送ステータスデータは、ピックアップステータス、配送ステータス、ルート変更、損傷通知、および署名のうちの任意の１つまたは複数を含む、請求項１１に記載の方法。
【請求項１３】
前記配送ステータスデータは、少なくとも１つの画像を含み、前記少なくとも１つの画像は、前記配送ロケーションまたは損傷のどちらかを前記１つまたは複数の物品に取り込む、請求項１２に記載の方法。
【請求項１４】
１つまたは複数の通知を、前記消費者デバイス、前記選択された運送業者、および在庫関連エンティティのうちの任意の１つに送信するステップをさらに含む、請求項１に記載の方法。
【請求項１５】
倉庫データ、課金データ、および監査データのうちの少なくとも１つを更新するステップをさらに含む、請求項１に記載の方法。
【請求項１６】
地理的領域を決定すること、
前記地理的領域内の少なくとも１つのサブセクタを決定すること、
前記少なくとも１つのサブセクタ内のルートに影響するデータを入手すること、
少なくとも１つの子サブセクタを生成すること、ならびに
前記少なくとも１つの子サブセクタ内の高速ゾーン、通常ゾーン、および低速ゾーンのうちの少なくとも１つを識別すること
によって配送ルートを最適化するステップをさらに含む、請求項１に記載の方法。
【請求項１７】
前記地理的領域の視覚的なマッピングを生成するステップをさらに含む、請求項１６に記載の方法。
【請求項１８】
受け取り、ステージングおよびピッキング、ならびに、返品された物品に関するリバースロジスティクスのうちの任意の１つまたは複数に関する物品管理プロセスを開始するステップをさらに含む、請求項１に記載の方法。
【請求項１９】
受け取りに関する前記物品管理プロセスは、前記配送に含まれるそれぞれの物品に関する識別子の生成を開始するステップを含む、請求項１８に記載の方法。
【請求項２０】
ステージングおよびピッキングに関する前記物品管理プロセスは、乗り物によって配送されることになる物品どうしの配置に従って前記乗り物の荷降ろしを容易にするステップを含む、請求項１８に記載の方法。
【請求項２１】
リバースロジスティクスに関する前記物品管理プロセスは、前記返品された物品を処理して識別するか、またはその後の処理のために一意の識別子を加えるステップを含む、請求項１８に記載の方法。
【請求項２２】
前記運送業者の利用可能性は、乗り物内の利用可能なキャパシティ、既存のルートに沿った利用可能性、乗り物または乗り物オペレータの利用可能性、および利用可能な営業時間のうちの少なくとも１つを考慮する、請求項１に記載の方法。
【請求項２３】
配送を実行するためのコンピュータ実行可能命令を含むコンピュータ可読記憶媒体であって、前記コンピュータ実行可能命令は、
消費者デバイスを介して小売業者ユーザインターフェースにアクセスする消費者と、それぞれが運送業者デバイスを有する複数の運送業者との間における仲介サーバデバイスを提供し、それぞれの運送業者は、物品が、前記物品に関するピックアップロケーションから、前記消費者に関連付けられている配送ロケーションへ輸送されることを可能にし、前記小売業者ユーザインターフェースは、小売業者によって前記仲介サーバデバイスと結合されており、
前記消費者または消費者デバイスによってアクセスされた前記小売業者ユーザインターフェースを介して、前記消費者が、前記配送ロケーションへの１つまたは複数の物品を含む注文の配送を要求することを可能にし、
前記仲介サーバデバイスにおいて、前記要求から、少なくとも前記１つまたは複数の物品の出所、前記１つまたは複数の物品の利用可能性、および配送先に基づいて、配送計画を決定し、
前記仲介サーバデバイスが、前記配送計画を前記複数の運送業者に通信して、前記配送計画、それぞれの運送業者の利用可能性、およびそれぞれの運送業者のキャパシティによって決定付けられた少なくとも輸送時間に従って、複数の運送業者によって提供される複数の利用可能な配送時間枠を決定し、
前記仲介サーバデバイスが、前記小売業者ユーザインターフェースが前記複数の利用可能な配送時間枠を提供することを可能にし、
前記仲介サーバデバイスが、特定の利用可能な配送時間枠の選択を受信し、
前記仲介サーバデバイスが、前記選択に対応する前記複数の運送業者のうちの選択された運送業者によって、前記小売業者の代わりに前記配送を開始する
ための命令を含む、非一時的なコンピュータ可読記憶媒体。
【請求項２４】
配送を実行するための仲介システムであって、前記システムはプロセッサおよびメモリを含み、前記メモリは、
消費者デバイスを介して小売業者ユーザインターフェースにアクセスする消費者と、それぞれが運送業者デバイスを有する複数の運送業者との間における仲介サーバデバイスを提供し、それぞれの運送業者は、物品が、前記物品に関するピックアップロケーションから、前記消費者に関連付けられている配送ロケーションへ輸送されることを可能にし、前記小売業者ユーザインターフェースは、小売業者によって前記仲介サーバデバイスと結合されており、
前記消費者または消費者デバイスによってアクセスされた前記小売業者ユーザインターフェースを介して、前記消費者が、前記配送ロケーションへの１つまたは複数の物品を含む注文の配送を要求することを可能にし、
前記仲介サーバデバイスにおいて、前記要求から、少なくとも前記１つまたは複数の物品の出所、前記１つまたは複数の物品の利用可能性、および配送先に基づいて、配送計画を決定し、
前記仲介サーバデバイスが、前記配送計画を前記複数の運送業者に通信して、前記配送計画、それぞれの運送業者の利用可能性、およびそれぞれの運送業者のキャパシティによって決定付けられた少なくとも輸送時間に従って、複数の運送業者によって提供される複数の利用可能な配送時間枠を決定し、
前記仲介サーバデバイスが、前記小売業者ユーザインターフェースが前記複数の利用可能な配送時間枠を提供することを可能にし、
前記仲介サーバデバイスが、特定の利用可能な配送時間枠の選択を受信し、
前記仲介サーバデバイスが、前記選択に対応する前記複数の運送業者のうちの選択された運送業者によって、前記小売業者の代わりに前記配送を開始する
ためのコンピュータ実行可能命令を含む、仲介システム。